(57)【要約】【課題】  基地局から特定の時間区間の間放射されるパイロット信号を利用して移動通信端末機の周波数を自動に調節する移動通信端末機の周波数自動調節装置及びその方法を提供しようとする。【解決手段】  基地局から特定の時間区間の間放射されるパイロット信号を受信する移動通信端末機において、前記パイロット信号を検出する複素相関器１１０と、前記パイロット信号からピーク位置値を検出し、連続した各ピーク位置値間の値と規定された周期値との差値を利用して、デジタルＡＦＣ電圧を算出する周波数自動調節部１２０と、アナログ変換されたＡＦＣ電圧によって復調器１５０に発振周波数を出力する発振器１４０と、を含んで移動通信端末機の周波数自動調節装置を構成する。【選択図】図１
2005020741.tif 000002
【特許請求の範囲】
【請求項１】
基地局から特定の時間区間の間放射されるパイロット信号を受信する移動通信端末機において、
前記パイロット信号を検出する複素相関器と、
前記パイロット信号からピーク位置値を検出し、連続した各ピーク位置値間の値と規定された周期値との差値（ｄｅｖ）を利用して、デジタルＡＦＣ（ａｕｔｏｍａｔｉｃａｌｌｙ  ｆｒｅｑｕｅｎｃｙ  ｃｏｎｔｒｏｌ）電圧を算出する周波数自動調節部と、
アナログ変換されたＡＦＣ電圧によって復調器に発振周波数を出力する発振器と、を含んで構成されることを特徴とする移動通信端末機の周波数自動調節装置。
【請求項２】
前記周波数自動調節部は、
パイロット信号からピーク位置を検出するピーク検出器と、
該検出されたピーク位置値から以前のピーク位置値及び周期値を減算することで差値（ｄｅｖ）を算出するピーク周期偏差検出器と、
前記差値（ｄｅｖ）から連続された０の個数をカウントしてゼロラン値（ｚｅｒｏ−ｒｕｎ  ｖａｌｕｅ）を出力するゼロカウンターと、
前記差値（ｄｅｖ）及びゼロラン値をデジタルＡＦＣ電圧に変換するＡＦＣマッピングユニットと、から構成されることを特徴とする請求項１記載の移動通信端末機の周波数自動調節装置。
【請求項３】
前記デジタルＡＦＣ電圧は、
ＡＦＣ（ｎ）＝ＡＦＣ（ｎ−１）＋ｄｅｌｔａ＿ＡＦＣ
により表現されることを特徴とする請求項１記載の移動通信端末機の周波数自動調節装置。
【請求項４】
前記デルタ＿ＡＦＣは、
前記差値（ｄｅｖ）を特定の実数値にマッピングした後、それをゼロラン値を利用した変数で分けて算出することを特徴とする請求項３記載の移動通信端末機の周波数自動調節装置。
【請求項５】
基地局で伝送されたパイロット信号からピーク位置を検出するピーク検出器と、
連続された各ピーク位置値間の差と規定された周期値との差値（ｄｅｖ）を算出するピーク周期偏差検出器と、
前記差値（ｄｅｖ）から連続された０の個数をカウントしてゼロラン値を出力するゼロカウンターと、
前記差値（ｄｅｖ）及びゼロラン値を利用してデジタルＡＦＣ電圧を算出するＡＦＣマッピングユニットと、
Ｄ／Ａ変換器を経てアナログ変換されたＡＦＣ電圧で発振周波数を出力する発振器と、を含んで構成されることを特徴とする移動通信端末機の周波数自動調節装置。
【請求項６】
前記ピーク位置は、
スレショルドレジスタの電圧より大きいピーク値が所定区間の間維持される位置であることを特徴とする請求項５記載の移動通信端末機の周波数自動調節装置。
【請求項７】
前記差値（ｄｅｖ）は、
現在のピーク位置値−以前のピーク位置値−周期値であることを特徴とする請求項５記載の移動通信端末機の周波数自動調節装置。
【請求項８】
前記デジタルＡＦＣ電圧は、
ＡＦＣ（ｎ）＝ＡＦＣ（ｎ−１）＋ｄｅｌｔａ＿ＡＦＣ
により表現されることを特徴とする請求項５記載の移動通信端末機の周波数自動調節装置。
【請求項９】
前記デルタ＿ＡＦＣは、
前記差値（ｄｅｖ）を特定の実数値にマッピングした後、それをゼロラン値を利用した変数で分けて算出することを特徴とする請求項８記載の移動通信端末機の周波数自動調節装置。
【請求項１０】
前記デルタ＿ＡＦＣは、
前記差値（ｄｅｖ）が正数であると負数に算出され、前記差値（ｄｅｖ）が負数であると正数に算出されることを特徴とする請求項９記載の移動通信端末機の周波数自動調節装置。
【請求項１１】
基地局から伝送されたパイロット信号のピーク位置を検出する過程と、
連続した各ピーク位置値間の間隔の変動量によりＡＦＣ電圧を算出する過程と、
前記ＡＦＣ電圧によって発振周波数を出力して入力信号の周波数を制御する過程と、を行うことを特徴とする移動通信端末機の周波数自動調節方法。
【請求項１２】
前記ピーク位置を検出する過程は、
基地局から伝送されたパイロット信号を検出する過程と、
前記パイロット信号からピーク位置値を検出する過程と、を行うことを特徴とする請求項１１記載の移動通信端末機の周波数自動調節方法。
【請求項１３】
前記ＡＦＣ電圧を算出する過程は、
現在のピーク位置値から以前のピーク位置値及び周期値を減算して差値（ｄｅｖ）を算出する過程と、
前記差値（ｄｅｖ）から連続された０の個数をカウントしてゼロラン値を算出する過程と、
前記差値及びゼロラン値を利用してＡＦＣ電圧を出力する過程と、を行うことを特徴とする請求項１１記載の移動通信端末機の周波数自動調節方法。
【請求項１４】
前記差値（ｄｅｖ）を算出する過程は、
次のピーク位置を探すようにピーク検出器にＡＣＫ信号を伝送する過程を更に行うことを特徴とする請求項１３記載の移動通信端末機の周波数自動調節方法。
【請求項１５】
前記ＡＦＣ電圧は、
ＡＦＣ（ｎ）＝ＡＦＣ（ｎ−１）＋ｄｅｌｔａ＿ＡＦＣ
を利用して算出されることを特徴とする請求項１３記載の移動通信端末機の周波数自動調節装置。
【請求項１６】
前記デルタ＿ＡＦＣは、
前記差値（ｄｅｖ）を特定の実数値にマッピングした後、それをゼロラン値を利用した変数で分けて算出することを特徴とする請求項１５記載の移動通信端末機の周波数自動調節方法。
【発明の詳細な説明】
【技術分野】
【０００１】
本発明は、移動通信端末機に係るもので、詳しくは、基地局から特定の時間の間放射されるパイロット信号を利用して移動通信端末機の周波数を調節する移動通信端末機の周波数自動調節装置及びその方法に関するものである。
【背景技術】
【０００２】
一般に、移動通信システムの良好な伝送品質を維持するためには、通信の連結された対象間の周波数を同様に合せるべきであるが、特に、セルラー通信システムでは、端末機が基地局の同期に合せて動作するように規定されている。
【０００３】
例えば、ＣＤＭＡ（ｃｏｄｅ  ｄｉｖｉｓｉｏｎ  ｍｕｌｔｉｐｌｅ  ａｃｃｅｓｓ）システムは、伝送する信号を特定の拡散コードを利用して拡散送信し、該拡散コードを利用して受信された前記拡散信号を逆拡散して元の信号を復調するため、送信側及び受信側の拡散コード間で位相同期化が行われてないと、元の信号を復調することができない。従って、前記ＣＤＭＡシステムでは、移動通信端末機の同期周波数を基地局の同期周波数に一致させるために、自動周波数制御（ａｕｔｏｍａｔｉｃ  ｆｒｅｑｕｅｎｃｙ  ｃｏｎｔｒｏｌ：以下、ＡＦＣという）を行う周波数自動調節装置が必要である。
【０００４】
従来の周波数自動調節装置は、周波数変位検出器と、アナログ電圧で微細に調節できる水晶発振器と、を含んで構成されている。
【０００５】
前記周波数変位検出器は、復調された信号から余弦波成分を抽出し、位相の傾きを測定することで送信側と受信側との周波数差を計算する。このように計算された周波数差によって前記水晶発振器を調節する電圧を制御し、その後に受信される信号の位相を略水平に調節する。
【０００６】
前記移動通信システムにおいては、前記送信側の微細な変動、多様なページング環境及び受信側の移動状況によって周波数を継続して補正すべきであるため、前記周波数変位検出器は、継続的に動作すべきである。
【発明の開示】
【発明が解決しようとする課題】
【０００７】
然るに、従来の周波数変位検出方法は、伝送中に発生するノイズ、又は移動通信端末機の周辺で発生するノイズの影響を多く受けるため、正確な補正値を検出することが困難なだけでなく、ノイズの影響を最小化するための追加的な制御が必要であるため、実現過程が煩雑になるという不都合な点があった。
【０００８】
本発明は、このような従来の課題に鑑みてなされたもので、基地局から特定の時間区間の間放射されるパイロット信号を利用して移動通信端末機の周波数を自動に調節する移動通信端末機の周波数自動調節装置及びその方法を提供することを目的とする。
【課題を解決するための手段】
【０００９】
このような目的を達成するため、本発明に係る移動通信端末機の周波数自動調節装置は、基地局から特定の時間区間の間放射されるパイロット信号を受信する移動通信端末機において、前記パイロット信号を検出する複素相関器と、前記パイロット信号からピーク位置値を検出し、連続した各ピーク位置値間の値と規定された周期値との差値（ｄｅｖ）を利用してデジタルＡＦＣ電圧を算出する周波数自動調節部と、アナログ変換されたＡＦＣ電圧によって復調器に発振周波数を出力する発振器と、を含んで構成されることを特徴とする。
【００１０】
又、本発明に係る移動通信端末機の周波数自動調節装置は、基地局で伝送されたパイロット信号からピーク位置を検出するピーク検出器と、連続された各ピーク位置値間の差と規定された周期値との差値（ｄｅｖ）を算出するピーク周期偏差検出器と、前記差値（ｄｅｖ）から連続された０の個数をカウントしてゼロラン値（ｚｅｒｏ−ｒｕｎ  ｖａｌｕｅ）を出力するゼロカウンターと、前記差値（ｄｅｖ）及びゼロラン値を利用してデジタルＡＦＣ電圧を算出するＡＦＣマッピングユニットと、Ｄ／Ａ変換器によりアナログ変換されたＡＦＣ電圧で発振周波数を出力する発振器と、を含んで構成されることを特徴とする。
【００１１】
又、本発明に係る移動通信端末機の周波数自動調節方法は、基地局から伝送されたパイロット信号のピーク位置を検出する過程と、連続した各ピーク位置値間の間隔の変動量でＡＦＣ電圧を算出する過程と、前記ＡＦＣ電圧によって発振周波数を出力して入力信号の周波数を制御する過程と、を行うことを特徴とする。
【００１２】
又、本発明に係る移動通信端末機の周波数自動調節方法は、基地局から伝送されたパイロット信号を検出する過程と、前記パイロット信号からピーク位置値を検出する過程と、前記ピーク位置値から以前のピーク位置値及び規定された周期値を減算して差値（ｄｅｖ）を算出する過程と、前記差値（ｄｅｖ）から連続された０の個数をカウントしてゼロラン値を算出する過程と、前記差値（ｄｅｖ）及びゼロラン値に所定の演算を行ってデジタルＡＦＣ電圧を計算する過程と、前記デジタルＡＦＣ電圧をアナログ変換して発振器に印加する過程と、を行うことを特徴とする。
【００１３】
本発明の移動通信端末機の周波数自動調節装置は、基地局から特定の時間区間の間放射されるパイロット信号を受信する移動通信端末機において、前記パイロット信号を検出する複素相関器と、前記パイロット信号からピーク位置値を検出し、連続した各ピーク位置値間の値と規定された周期値との差値（ｄｅｖ）を利用して、デジタルＡＦＣ（ａｕｔｏｍａｔｉｃａｌｌｙ  ｆｒｅｑｕｅｎｃｙ  ｃｏｎｔｒｏｌ）電圧を算出する周波数自動調節部と、アナログ変換されたＡＦＣ電圧によって復調器に発振周波数を出力する発振器と、を含んで構成されることを特徴とし、それにより上記目的が達成される。
【００１４】
前記周波数自動調節部は、パイロット信号からピーク位置を検出するピーク検出器と、該検出されたピーク位置値から以前のピーク位置値及び周期値を減算することで差値（ｄｅｖ）を算出するピーク周期偏差検出器と、前記差値（ｄｅｖ）から連続された０の個数をカウントしてゼロラン値（ｚｅｒｏ−ｒｕｎ  ｖａｌｕｅ）を出力するゼロカウンターと、前記差値（ｄｅｖ）及びゼロラン値をデジタルＡＦＣ電圧に変換するＡＦＣマッピングユニットと、から構成されることを特徴としてもよい。
【００１５】
前記デジタルＡＦＣ電圧は、ＡＦＣ（ｎ）＝ＡＦＣ（ｎ−１）＋ｄｅｌｔａ＿ＡＦＣにより表現されることを特徴としてもよい。
【００１６】
前記デルタ＿ＡＦＣは、前記差値（ｄｅｖ）を特定の実数値にマッピングした後、それをゼロラン値を利用した変数で分けて算出することを特徴としてもよい。
【００１７】
本発明の移動通信端末機の周波数自動調節装置は、基地局で伝送されたパイロット信号からピーク位置を検出するピーク検出器と、連続された各ピーク位置値間の差と規定された周期値との差値（ｄｅｖ）を算出するピーク周期偏差検出器と、前記差値（ｄｅｖ）から連続された０の個数をカウントしてゼロラン値を出力するゼロカウンターと、前記差値（ｄｅｖ）及びゼロラン値を利用してデジタルＡＦＣ電圧を算出するＡＦＣマッピングユニットと、Ｄ／Ａ変換器を経てアナログ変換されたＡＦＣ電圧で発振周波数を出力する発振器と、を含んで構成されることを特徴と、それにより上記目的が達成される。
【００１８】
前記ピーク位置は、スレショルドレジスタの電圧より大きいピーク値が所定区間の間維持される位置であることを特徴としてもよい。
【００１９】
前記差値（ｄｅｖ）は、現在のピーク位置値−以前のピーク位置値−周期値であることを特徴としてもよい。
【００２０】
前記デジタルＡＦＣ電圧は、ＡＦＣ（ｎ）＝ＡＦＣ（ｎ−１）＋ｄｅｌｔａ＿ＡＦＣにより表現されることを特徴としてもよい。
【００２１】
前記デルタ＿ＡＦＣは、前記差値（ｄｅｖ）を特定の実数値にマッピングした後、それをゼロラン値を利用した変数で分けて算出することを特徴としてもよい。
【００２２】
前記デルタ＿ＡＦＣは、前記差値（ｄｅｖ）が正数であると負数に算出され、前記差値（ｄｅｖ）が負数であると正数に算出されることを特徴としてもよい。
【００２３】
本発明の移動通信端末機の周波数自動調節方法は、基地局から伝送されたパイロット信号のピーク位置を検出する過程と、連続した各ピーク位置値間の間隔の変動量によりＡＦＣ電圧を算出する過程と、前記ＡＦＣ電圧によって発振周波数を出力して入力信号の周波数を制御する過程と、を行うことを特徴とし、それにより上記目的が達成される。
【００２４】
前記ピーク位置を検出する過程は、基地局から伝送されたパイロット信号を検出する過程と、前記パイロット信号からピーク位置値を検出する過程と、を行うことを特徴としてもよい。
【００２５】
前記ＡＦＣ電圧を算出する過程は、現在のピーク位置値から以前のピーク位置値及び周期値を減算して差値（ｄｅｖ）を算出する過程と、前記差値（ｄｅｖ）から連続された０の個数をカウントしてゼロラン値を算出する過程と、前記差値及びゼロラン値を利用してＡＦＣ電圧を出力する過程と、を行うことを特徴としてもよい。
【００２６】
前記差値（ｄｅｖ）を算出する過程は、次のピーク位置を探すようにピーク検出器にＡＣＫ信号を伝送する過程を更に行うことを特徴としてもよい。
【００２７】
前記ＡＦＣ電圧は、ＡＦＣ（ｎ）＝ＡＦＣ（ｎ−１）＋ｄｅｌｔａ＿ＡＦＣ
を利用して算出されることを特徴としてもよい。
【００２８】
前記デルタ＿ＡＦＣは、前記差値（ｄｅｖ）を特定の実数値にマッピングした後、それをゼロラン値を利用した変数で分けて算出することを特徴としてもよい。
【発明の効果】
【００２９】
本発明に係る移動通信端末機の周波数自動調節装置及びその方法は、ＴＤＤ（Ｔｉｍｅ  Ｄｉｖｉｓｉｏｎ  Ｄｕｐｌｅｘｉｎｇ）システムの基地局から特定の時間区間の間放射される下向パイロット信号を検出して発振周波数を制御することで、通信環境に存在する雑音の影響を多く受けずに、正確な発振周波数を発生し得るだけでなく、通信性能を向上し得るという効果がある。
【発明を実施するための最良の形態】
【００３０】
以下、本発明の実施の形態に対し、図面に基づいて説明する。
【００３１】
図１は本発明に係る移動通信端末機の周波数自動調節装置の構成を示したブロック図である。
【００３２】
図１に示したように、基地局（図示せず）から伝送されるパイロット信号を検出する複素相関器１１０と、前記パイロット信号のピーク位置値と以前のピーク位置値との差値を演算してデジタルＡＦＣ電圧を出力する周波数自動調節部１２０と、発振器１４０の周波数を制御する前記デジタルＡＦＣ電圧をアナログ値に変換するＤ／Ａ変換器１３０と、前記発振器１４０の発振クロックを基準に基地局から伝送される信号を復調する復調器１５０と、を含んで構成されている。このとき、前記複素相関器１１０及び周波数自動調節部１２０は、デジタルベースバンドモデムに含まれる構成要素である。
【００３３】
前記パイロット信号は、移動通信端末機が位置するセルの基地局を識別して信号を出力する時の視覚的な整列を合せる基準になり、前記ＡＦＣ電圧は、発振器１４０の周波数を微細に調節する電圧である。
【００３４】
図２は前記周波数自動調節部の構成を示したブロック図で、前記複素相関器１１０から検出されたパイロット信号とスレショルドレジスタ１２２の値とを比較してピーク位置を検出するピーク検出器１２１と、現在検出されたピーク位置値から以前に検出されたピーク位置値及び周期値を減算してその差値（ｄｅｖ）を出力するピーク周期偏差検出器１２３と、前記差値（ｄｅｖ）から‘０’でない値が入力される時までの‘０’の個数をカウントしてゼロラン値を出力するゼロカウンター１２４と、前記差値（ｄｅｖ）及びゼロラン値を前記デジタルＡＦＣ電圧に変換するＡＦＣマッピングユニット１２５と、から構成される。
【００３５】
前記ピーク周期偏差検出器１２３は、前記差値（ｄｅｖ）を格納するアキュムレータ（図示せず）を含み、該アキュムレータ（図示せず）の動作後には、前記ピーク検出器１２１が次のピーク位置を探すようにＡＣＫ信号を伝送する。
【００３６】
前記ＡＦＣマッピングユニット１２５から出力されるデジタルＡＦＣ電圧は、次式のように表現される。
【００３７】
ＡＦＣ（ｎ）＝ＡＦＣ（ｎ−１）＋ｄｅｌｔａ＿ＡＦＣ        （式１）
このとき、初期値であるＡＦＣ（０）は、変位の中間値または該当の移動通信端末機の受信機の較正により決定し、前記デルタ＿ＡＦＣは、前記発振器１４０及びＤ／Ａ変換器１３０の規格によって変わる。
【００３８】
一般に、前記デルタ＿ＡＦＣは、前記差値（ｄｅｖ）を特定の値にマッピングした後、それをゼロラン値を利用した変数で分けて算出される。
【００３９】
このように構成された本発明に係る移動通信端末機の周波数自動調節装置は、ＴＤＤ（Ｔｉｍｅ  Ｄｉｖｉｓｉｏｎ  Ｄｕｐｌｅｘｉｎｇ）システムのように、基地局から特定の時間区間の間パイロット信号を放射する移動通信システムで実現される。
【００４０】
以下、本発明に係る移動通信端末機の周波数自動調節装置の動作を説明する。
【００４１】
前記複素相関器１１０は、基地局から無線ネットワークを通してパイロット信号を検出して、前記周波数自動調節部１２０に入力する。
【００４２】
このとき、前記パイロット信号は、常にＴＤＤシステムの基地局から下向放射される信号であって、優れた磁気相関特性を有するため、通信環境がよくない場合も検出することができる。
【００４３】
図３はＴＤＤ通信環境で複素相関器が正常に動作する場合の出力波形を示したグラフで、前記パイロット信号が存在する位置の信号成分は、他の区間の信号成分と著しく区分される。
【００４４】
前記複素相関器及び周波数自動調節部を含むデジタルベースバンドモデムは、パイロット信号の位置を基準にサブフレームの開始位置を把握し、タイムスロットを区分することができる。
【００４５】
３ＧＰＰ  ＴＳ  ２５．２２１：“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＴＤＤ）”に規定された各ピーク間の間隔は６４００チップであるため、ｎオーバサンプル環境では、６４００×ｎサンプルになる。
【００４６】
図３の出力信号は４オーバサンプルであるため、ピーク間隔が２５６００サンプルになるが、前記ピーク間の間隔は、受信側の環境によって若干の差が発生する。このとき、前記周波数自動調節部１２０は、前記複素相関器１１０の出力信号を入力とし、現在検出されたパイロット信号のピーク位置値と以前に検出されたピーク位置値との差値を検出してデジタルＡＦＣ電圧を出力する。
【００４７】
前記Ｄ／Ａ変換器１３０は、前記デジタルＡＦＣ電圧をアナログ電圧に変換して前記発振器１４０に印加し、該発振器１４０は、前記ＡＦＣ電圧によって発振周波数を調節する。
【００４８】
以下、前記周波数自動調節部１２０の動作を詳しく説明する。
【００４９】
前記ピーク検出器１２１は、前記複素相関器１１０で検出されたパイロット信号からスレショルドレジスタ１２２の電圧より大きくて所定区間の間最高値となるピーク位置を検出し、検出信号及び検出位置を前記ピーク周期偏差検出器１２３に伝達する。このとき、前記検出信号は、パイロット信号のピークを探したことを知らせる信号で、前記検出位置は、パイロット信号のピーク位置値であって、チップ単位でなくサンプル単位である。
【００５０】
前記ピーク周期偏差検出器１２３は、現在検出されたピーク位置値から以前に検出されたピーク位置値及び周期値を減算した差値を前記アキュムレータ（図示せず）に格納する。理想的なパイロット信号の各ピーク間隔は、周期値と一致すべきであるが、前記差値が正数であると、移動通信端末機の発振周波数がより速いことを意味し、前記差値が負数であると、移動通信端末機の発振周波数が遅いことを意味する。
【００５１】
前記アキュムレータ（図示せず）の動作後、前記ピーク周期偏差検出器１２３は、前記ピーク検出器１２１が次の位置のピークを探すように、ＡＣＫ信号を前記ピーク検出器１２１に出力する。
【００５２】
一般に、周波数が動作範囲に入ると、前記差値（ｄｅｖ）は次のように出力される。
０，０，０，１，０，０，０，１，０，０，０，０，０，１，０，０，−１，０，−１，０，０，１，０，０，０，０，０，２，０，０，１・・・
前記ゼロカウンター１２４は、前記差値（ｄｅｖ）から０でない値が出る前までの０の個数をカウントしてゼロラン値を出力する。
【００５３】
前記ＡＦＣマッピングユニット１２５は、前記ピーク周期偏差検出器１２３の出力値（ｄｅｖ）及び前記ゼロカウンター１２４の出力値（ゼロラン値）として表示される入力信号をデルタ＿ＡＦＣに変換する。このとき、前記ＡＦＣマッピングユニット１２５に入力される信号は、（１，３）、（１，３）、（１，５）、（−１，２）、（−１，１）、（−１，２）、（２，５）、（１，２）・・・になる。
【００５４】
前記入力信号をデルタ＿ＡＦＣに変換する関係は、発振器１４０の特性及びＤ／Ａ変換器１３０の規格によって多様な方法で実現される。
【００５５】
下記の表１、式２及び式３は、前記デルタ＿ＡＦＣ変換方法に対する一例であって、表１は、差値（ｄｅｖ）を特定の値にマッピングしたテーブルを示し、式２は、前記デルタ＿ＡＦＣを算出する式である。
【００５６】
【表１】
2005020741.tif 000003
【００５７】
【数１】
2005020741.tif 000004
前記デルタ＿ＡＦＣを式１に代入して最終的に計算されたデジタルＡＦＣ電圧は、Ｄ／Ａ変換器に入力される。
【００５８】
図４は本発明に係る移動通信端末機の周波数自動調節方法を示したフローチャートである。
【００５９】
まず、移動通信端末機に入力される信号からパイロット信号を検出し（Ｓ１１）、該パイロット信号から周波数が所定区間の間最高値になるピーク位置値を探す（Ｓ１２）。
【００６０】
次いで、前記ピーク位置値から以前に検出されたピーク位置値及び前記ピーク間の周期値を減算してその差値（ｄｅｖ）を算出し（Ｓ１３）、その差値が０でない値であるとアキュムレータに格納する（Ｓ１４）。次いで、該アキュムレータの動作後、次のピーク位置を検出するように前記ピーク検出器にＡＣＫ信号を伝送する。
【００６１】
このとき、前記周期値は規定された値であるため、前記差値（ｄｅｖ）が正数であると発振器の周波数が速いことを意味し、負数であると発振器の周波数が遅いことを意味し、０であると理想的な発振周波数であることを意味する。
【００６２】
次いで、前記差値（ｄｅｖ）から０が連続的に出る個数をカウントしたゼロラン値を求め（Ｓ１４）、前記差値及びゼロラン値をデルタ−ＡＦＣに変換する（Ｓ１５）。このとき、変換関係は、発振器及びＤ／Ａ変換器の規格によって変わる。
【００６３】
次いで、前記デルタ−ＡＦＣと以前に検出されたデジタルＡＦＣ電圧とを加算して現在のデジタルＡＦＣ電圧が算出され（Ｓ１６）、該デジタルＡＦＣ電圧は、Ｄ／Ａ変換器を経て発振器に印加されて該当の発振器の発振周波数を制御する（Ｓ１７）。
【００６４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６５】
【図１】本発明に係る移動通信端末機の周波数自動調節装置の構成を示したブロック図である。
【図２】図１の周波数自動調節部の構成を示したブロック図である。
【図３】複素相関器の出力波形を示したグラフである。
【図４】本発明に係る移動通信端末機の周波数自動調節方法を示したフローチャートである。
【符号の説明】
【００６６】
１１０  複素相関器
１２０  周波数自動調節部
１３０  Ｄ／Ａ変換器
１４０  発振器
１５０  復調器
【図１】
2005020741.tif 000005
【図２】
2005020741.tif 000006
【図３】
2005020741.tif 000007
【図４】
2005020741.tif 000008